(57)【要約】【課題】カバーによる操作性の向上と表示の視認性の向上とを両立できる、タッチパネル装置、表示制御方法、表示制御プログラムおよびタッチパネル装置用カバーを提供する。【解決手段】タッチパネルは、表示部と、表示部の少なくとも一部の領域である特定領域への指などの接触を検知するための位置検出センサとを有している。タッチパネルにコピー用カバーが装着されていないときには、特定領域に文字、数字または記号が表示される。タッチパネルにコピー用カバーが装着され、その装着が検知されると、特定領域に表示されていた文字、数字または記号が特定領域と隣接する隣接領域に表示される。【選択図】図７
2016018297.tif 000002
【特許請求の範囲】
【請求項１】
表示部および当該表示部の少なくとも一部の領域である特定領域への接触体の接触を検知するための接触検知部を有するタッチパネルと、
前記タッチパネルの少なくとも前記特定領域を覆うカバーが前記タッチパネルに装着されていることを検知するためのカバー検知部と、
前記表示部における表示を制御するための表示制御部と
を備え、
前記表示制御部は、前記カバー検知部により前記カバーの装着が検知されていないときには、前記特定領域に文字、数字または記号を表示させ、前記カバー検知部により前記カバーの装着が検知されているときには、前記特定領域と隣接する隣接領域に前記文字、数字または記号を表示させる、タッチパネル装置。
【請求項２】
請求項１に記載のタッチパネル装置において、
前記カバー検知部により前記カバーの装着が検知されているときに、前記接触検知部の検知感度を前記カバー検知部により前記カバーの装着が検知されていないときと比べて高くする感度制御部をさらに備える、タッチパネル装置。
【請求項３】
請求項１に記載のタッチパネル装置において、
前記接触検知部は、前記特定領域および前記隣接領域の両領域以外の前記表示部の領域である第３領域への接触体の接触をさらに検知し、
前記表示制御部は、前記カバー検知部により前記カバーの装着が検知されているか否かにかかわらず、前記第３領域に文字、数字または記号を表示させる、タッチパネル装置。
【請求項４】
請求項３に記載のタッチパネル装置において、
前記カバー検知部により前記カバーの装着が検知されているときには、前記特定領域における前記接触検知部の検知感度を前記カバー検知部により前記カバーの装着が検知されていないときと比べて高くする感度制御部をさらに備える、タッチパネル装置。
【請求項５】
請求項４に記載のタッチパネル装置において、
前記感度制御部は、前記第３領域における前記接触検知部の検知感度を前記特定領域における前記接触検知部の検知感度よりも低くする、タッチパネル装置。
【請求項６】
請求項１〜５のいずれか一項に記載のタッチパネル装置において、
前記接触検知部は、前記カバーに形成されている所定の識別パターンが前記表示部に接触していることを検知し、
前記カバー検知部は、前記表示部への前記識別パターンの接触が前記接触検知部に検知されていることにより、前記カバーの装着および当該カバーの種類を検知する、タッチパネル装置。
【請求項７】
表示部および当該表示部の少なくとも一部の領域である特定領域への接触体の接触を検知するための接触検知部を有するタッチパネルと、
前記タッチパネルの少なくとも前記特定領域を覆うカバーが前記タッチパネルに装着されていることを検知するためのカバー検知部と
を備えるタッチパネル装置で実行される表示制御方法であって、
前記カバー検知部により前記カバーの装着が検知されていないときには、前記特定領域に文字、数字または記号を表示させ、
前記カバー検知部により前記カバーの装着が検知されているときには、前記特定領域と隣接する隣接領域に前記文字、数字または記号を表示させる、表示制御方法。
【請求項８】
表示部および当該表示部の少なくとも一部の領域である特定領域への接触体の接触を検知するための接触検知部を有するタッチパネルと、
前記タッチパネルの少なくとも前記特定領域を覆うカバーが前記タッチパネルに装着されていることを検知するためのカバー検知部と
を備えるタッチパネル装置のコンピュータにインストールされる表示制御プログラムであって、
前記コンピュータを、
前記カバー検知部により前記カバーの装着が検知されていないときには、前記特定領域に文字、数字または記号を表示させ、前記カバー検知部により前記カバーの装着が検知されているときには、前記特定領域と隣接する隣接領域に前記文字、数字または記号を表示させる表示制御部として機能させる、表示制御プログラム。
【請求項９】
表示部および当該表示部の少なくとも一部の領域である特定領域への接触体の接触を検知するための接触検知部を有するタッチパネルと、前記表示部における表示を制御するための表示制御部とを備えるタッチパネル装置用のカバーであって、
前記表示部に装着されて、前記タッチパネルの少なくとも前記特定領域を覆い、
前記表示部に装着されたときに、前記特定領域に対向する特定部分と、
前記表示部に装着されたときに、前記特定部分に隣接し、当該カバーが前記表示部に装着されていないときに前記表示制御部により前記特定領域に表示されていた文字、数字または記号が表示される隣接領域に対向する隣接部分と
を備え、
前記特定部分の光透過率が前記隣接部分の光透過率よりも低い、カバー。
【請求項１０】
請求項９に記載のカバーにおいて、
前記特定部分の厚さは、前記隣接部分の厚さよりも大きい、カバー。
【発明の詳細な説明】
【技術分野】
【０００１】
本発明は、タッチパネルを備えるタッチパネル装置、タッチパネル装置における表示制御方法、タッチパネル装置のコンピュータにインストールされる表示制御プログラム、およびタッチパネル装置用のカバーに関する。
【背景技術】
【０００２】
従来より、ＭＦＰ（Multi-Function Peripheral）などの電子機器において、タッチパネルを搭載したものが知られている。タッチパネルは、ディスプレイ上にタッチセンサを重ね合わせた構成を有する入力デバイスである。ユーザは、ディスプレイに表示されているソフトウェアキーを指などで触れること（タッチ操作）により、タッチパネルが搭載された電子機器に情報を入力することができる。
【０００３】
タッチパネルの操作性の向上を図るため、タッチパネルに透明カバーを装着することが提案されている。透明カバーには、ユーザによるタッチ操作を有効にする操作有効エリアと、ユーザによるタッチ操作を無効にする操作無効エリアとが形成されている。タッチパネルに透明カバーが装着された状態において、タッチパネルには、操作有効エリアと重なる位置にソフトウェアキーが表示される。操作有効エリアがタッチ操作されると、ソフトウェアキーに対応づけられた情報が入力される。
【先行技術文献】
【特許文献】
【０００４】
【特許文献１】特開２０１３−７７１３０号公報
【発明の概要】
【発明が解決しようとする課題】
【０００５】
タッチパネルにカバーが装着されると、操作有効エリアと操作無効エリアとの区別が明確になるので、タッチパネルの操作性が向上する。しかしながら、タッチパネルにカバーが装着されると、カバーの操作有効エリアの下に配置されたソフトウェアキーを視認することになるので、ソフトウェアキーの視認性が低下する。
【０００６】
本発明の目的は、カバーによる操作性の向上と表示の視認性の向上とを両立できる、タッチパネル装置、表示制御方法、表示制御プログラムおよびタッチパネル装置用カバーを提供することである。
【課題を解決するための手段】
【０００７】
前記の目的を達成するため、本発明の一の局面に係るタッチパネル装置は、表示部および当該表示部の少なくとも一部の領域である特定領域への接触体の接触を検知するための接触検知部を有するタッチパネルと、タッチパネルの少なくとも特定領域を覆うカバーがタッチパネルに装着されていることを検知するためのカバー検知部と、表示部における表示を制御するための表示制御部とを備え、表示制御部は、カバー検知部によりカバーの装着が検知されていないときには、特定領域に文字、数字または記号を表示させ、カバー検知部によりカバーの装着が検知されているときには、特定領域と隣接する隣接領域に文字、数字または記号を表示させる。
【０００８】
この構成によれば、タッチパネルは、表示部と、表示部の少なくとも一部の領域である特定領域への接触体の接触を検知するための接触検知部とを有している。タッチパネルにカバーが装着されていないときには、特定領域に文字、数字または記号が表示される。タッチパネルにカバーが装着され、その装着が検知されると、特定領域に表示されていた文字、数字または記号が特定領域と隣接する領域に表示される。
【０００９】
タッチパネルにカバーが装着されることにより、たとえば、特定領域とそれ以外の領域との区別を明確にすることができ、操作性を向上することができる。また、タッチパネルにカバーが装着されたことにより、たとえタッチパネルの特定領域が視認しにくくなっても、特定領域に表示されていた文字、数字または記号が隣接領域に移動して表示されているので、その文字、数字または記号を良好に視認することができる。
【００１０】
よって、カバーによるタッチパネルの操作性の向上と表示の視認性の向上とを両立することができる。
【００１１】
カバー検知部によりカバーの装着が検知されているときに、接触検知部の検知感度をカバー検知部によりカバーの装着が検知されていないときと比べて高くする感度制御部をさらに備えてもよい。
【００１２】
たとえば、カバーにおける特定領域に対向する部分の厚さをそれ以外の部分の厚さよりも大きくすれば、特定領域とそれ以外の領域との区別が一層明確になる。また、ユーザが特定領域を押操作したときにカバーからの反力を感じることができる。その結果、操作性をさらに向上させることができる。しかしながら、かかる構成のカバーが用いられた場合、特定領域における接触検知部の検知感度が低下するおそれがある。
【００１３】
カバーがタッチパネルに装着されているときには、カバーがタッチパネルに装着されていないときと比較して、特定領域における接触検知部の検知感度が高くされる。これにより、タッチパネルの操作性のさらなる向上を図ることができながら、特定領域への接触体の接触を良好に検知することができる。
【００１４】
接触検知部は、特定領域および隣接領域の両領域以外の表示部の領域である第３領域への接触体の接触をさらに検知し、表示制御部は、カバー検知部によりカバーの装着が検知されているか否かにかかわらず、第３領域に文字、数字または記号を表示させてもよい。
【００１５】
この構成によれば、接触検知部により、特定領域および隣接領域の両領域外の第３領域への接触体の接触が検知される。たとえば、カバーにおける第３領域に対向する部分の厚さがその周囲の厚さよりも小さくされていれば、つまりカバーにおける第３領域に対向する部分が凹部として形成されていれば、第３領域への接触体の不用意な接触を防止することができる。その結果、タッチパネルの操作性をさらに向上させることができる。かかる構成のカバーが用いられる場合、第３領域の視認性（光透過度）の低下が小さいので、タッチパネルにカバーが装着されているか否かにかかわらず、第３領域に文字、数字または記号が表示されてもよく、その場合でも、第３領域に表示された文字、数字または記号を良好に視認することができる。
【００１６】
カバー検知部によりカバーの装着が検知されているときには、特定領域における接触検知部の検知感度をカバー検知部によりカバーの装着が検知されていないときと比べて高くする感度制御部をさらに備えてもよい。
【００１７】
感度制御部は、第３領域における接触検知部の検知感度を特定領域における接触検知部の検知感度よりも低くしてもよい。
【００１８】
この構成によれば、第３領域における接触検知部の検知感度が特定領域における接触検知部の検知感度よりも低くされる。これにより、第３領域に接触体の不用意に接触した場合に、その接触が検知されることを抑制できる。その結果、第３領域の誤操作に基づく誤入力を抑制することができる。
【００１９】
接触検知部は、カバーに形成されている所定の識別パターンが表示部に接触していることを検知し、カバー検知部は、表示部への識別パターンの接触が接触検知部に検知されていることにより、カバーの装着および当該カバーの種類を検知してもよい。
【００２０】
この構成によれば、たとえば、カバーの種類に応じた識別パターンがカバーに形成されている場合、表示部への当該識別パターンの接触の検知を以て、カバーがタッチパネルに装着されていることが検知される。そのため、カバーにその識別のためのＩＣタグを設けた構成などと比較して、カバーの構成を簡易にすることができる。
【００２１】
なお、本発明は、タッチパネル装置の形態で実現することができるだけでなく、たとえば、タッチパネル装置における表示制御方法およびパッチパネル装置のコンピュータにインストールされるプログラムの形態で実現することもできる。
【００２２】
本発明の一の局面に係るカバーは、表示部および当該表示部の少なくとも一部の領域である特定領域への接触体の接触を検知するための接触検知部を有するタッチパネルと、表示部における表示を制御するための表示制御部とを備えるタッチパネル装置用のカバーであって、表示部に装着されて、タッチパネルの少なくとも特定領域を覆い、表示部に装着されたときに、特定領域に対向する特定部分と、表示部に装着されたときに、特定部分に隣接し、当該カバーが表示部に装着されていないときに表示制御部により特定領域に表示されていた文字、数字または記号が表示される隣接領域に対向する隣接部分とを備え、特定部分の光透過率が隣接部分の光透過率よりも低い。
【００２３】
カバーの特定部分の厚さは、隣接部分の厚さよりも大きいことが好ましい。
【発明の効果】
【００２４】
本発明によれば、カバーをタッチパネルに装着したとしても、タッチパネル装置の操作性の向上と表示の視認性の向上とを両立できる。
【図面の簡単な説明】
【００２５】
【図１】本発明の一実施形態に係るＭＦＰの左前上側から見た斜視図である。
【図２】ＭＦＰの電気的構成を示すブロック図である。
【図３Ａ】ＭＦＰがコピーモードの場合におけるタッチパネルの表示例を示す概念図であり、タッチパネルカバーが装着されていない状態を示す。
【図３Ｂ】ＭＦＰのコピーモード用のタッチパネルカバーの例を示す概念図である。
【図３Ｃ】ＭＦＰのコピーモード用のタッチパネルカバーがタッチパネルに装着された例を示す概念図である。
【図４Ａ】ＭＦＰがスキャンモードの場合におけるタッチパネルの表示例を示す概念図であり、タッチパネルカバーが装着されていない状態を示す。
【図４Ｂ】ＭＦＰのスキャンモード用のタッチパネルカバーの例を示す概念図である。
【図４Ｃ】ＭＦＰのスキャンモード用のタッチパネルカバーがタッチパネルに装着された例を示す概念図である。
【図５Ａ】ＭＦＰが電話モードの場合におけるタッチパネルの表示例を示す概念図であり、タッチパネルカバーが装着されていない状態を示す。
【図５Ｂ】ＭＦＰの電話モード用のタッチパネルカバーの例を示す概念図である。
【図５Ｃ】ＭＦＰの電話モード用のタッチパネルカバーがタッチパネルに装着された例を示す概念図である。
【図６Ａ】ＭＦＰがファックスモードの場合におけるタッチパネルの表示例を示す概念図であり、タッチパネルカバーが装着されていない状態を示す。
【図６Ｂ】ＭＦＰのファックスモード用のタッチパネルカバーの例を示す概念図である。
【図６Ｃ】ＭＦＰのファックスモード用のタッチパネルカバーがタッチパネルに装着された例を示す概念図である。
【図７】タッチパネル用カバー装着時における設定処理の流れを示すフローチャートである。
【発明を実施するための形態】
【００２６】
以下では、本発明の実施の形態について、添付図面を参照しつつ詳細に説明する。
【００２７】
＜全体構成＞
【００２８】
タッチパネル装置の一例としてのＭＦＰ（Multi-Function Peripheral）１は、図１に示されるように、プリンタ本体２、スキャナ本体３及びＡＤＦ（Auto Document Feeder）４を備えている。
【００２９】
なお、以下の説明では、平面上に載置したＭＦＰ１を操作パネル７（後述する）が設けられている側から見て規定した上下、左右及び前後の各方向を使用する。
【００３０】
プリンタ本体２内には、画像形成部１０（図２参照）が収容されている。画像形成部１０は、画像データに基づく印刷（カラー印刷又はモノクロ印刷）を実行し、シートに画像を形成するデバイスである。画像形成の方式は、電子写真方式であってもよいし、インクジェット方式であってもよい。
【００３１】
プリンタ本体２の最下部には、給紙トレイ５が設けられている。給紙トレイ５は、複数枚のシートを積層状態で収容可能に構成されている。プリンタ本体２の上面には、排紙トレイ６が形成されている。給紙トレイ５に収容されているシートは、給紙トレイ５からプリンタ本体２内に１枚ずつ送り出され、プリンタ本体２内を排紙トレイ６に向けて搬送される。シートがプリンタ本体２内を搬送される間に、画像形成部１０によって、当該シートに画像が形成される。画像が形成されたシート（印刷物）は、排紙トレイ６に排出される。
【００３２】
スキャナ本体３は、プリンタ本体２の上方に配置され、ＡＤＦ４は、スキャナ本体３の上方に配置されている。
【００３３】
スキャナ本体３内には、画像読取部２０（図２参照）が収容されている。画像読取部２０は、ＡＤＦ４に挿入されるシートに形成されている画像を読み取り、画像データを取得するデバイスである。
【００３４】
また、ＭＦＰ１は、操作パネル７を備えている。操作パネル７は、例えば、スキャナ本体３の前端部に配置されている。操作パネル７には、各種の情報などの表示および各種の入力のためのタッチパネル３０と、ＩＤカードなどの非接触ＩＣカードとの間で無線による双方向通信を行うためのＮＦＣ（Near Field Communication）インターフェース４０（以下、ＮＦＣ４０）とが設けられている。
【００３５】
＜電気的構成＞
【００３６】
タッチパネル３０は、たとえば、抵抗膜方式のタッチパネルである。タッチパネル３０は、図２に示されるように、表示部３１および接触検知部の一例としての位置検出センサ３２を備えている。表示部３１は、たとえば、液晶表示器からなる。位置検出センサ３２は、互いに間隔を空けて対向して配置された２枚の金属薄膜（以下、「抵抗膜」という。）を備えている。タッチパネル３０の表面が接触体の一例としての指などで押されると（タッチ操作）されると、２枚の抵抗膜が接触することにより抵抗値が変化する。位置検出センサ３２は、抵抗値の変化に基づいて、その押された位置を検出する。タッチパネル３０では、タッチ操作により、各種の指示や情報を入力することができる。
【００３７】
また、ＭＦＰ１は、ネットワークインターフェース（Ｉ／Ｆ）５０、ＵＳＢ（Universal Serial Bus）インターフェース（Ｉ／Ｆ）６０、ファクシミリ（Ｉ／Ｆ）インターフェース７０およびＡＳＩＣ（Application Specific Integrated Circuit）８１、ＲＯＭ８２、ＲＡＭ８３およびＨＤＤ（Hard Disk Drive）８４を備えている。
【００３８】
ネットワークインターフェース５０は、ＬＡＮ（Local Area Network）に接続されているＰＣ（パーソナルコンピュータ）などの外部装置との通信のためのインターフェースである。通信の方式は、無線通信方式であってもよいし、有線通信方式であってもよい。
【００３９】
ＵＳＢインターフェース６０は、ＵＳＢメモリなどのリムーバブルメディアを接続するためのインターフェース（ＵＳＢポート）である。ＭＦＰ１は、ダイレクトプリント機能を有している。ダイレクトプリント機能は、リムーバブルメディアに格納されているファイルを取り込んで印刷する機能である。
【００４０】
ファクシミリインターフェース７０は、電話およびファクシミリ通信に使用される公衆電話回線網との接続のためのインターフェースである。
【００４１】
ＡＳＩＣ８１は、カバー検知部、表示制御部、感度制御部の一例としてのＣＰＵ８５を内蔵している。ＡＳＩＣ８１には、タッチパネル３０のタッチ操作による指示、ＮＦＣ４０によりＩＤカードから読み取られた識別情報などが入力される。
【００４２】
また、ＡＳＩＣ８１には、外部装置から送信される印刷ジョブがネットワークインターフェース５０を介して入力される。
【００４３】
ＣＰＵ７５は、ＡＳＩＣ８１に入力される情報に基づいて、各種の処理のためのプログラムを実行することにより、画像形成部１０、画像読取部２０およびタッチパネル３０を制御し、ネットワークインターフェース５０を介した通信を制御する。
【００４４】
ＲＯＭ８２には、ＣＰＵ８５によって実行されるプログラム及び各種のデータなどが記憶されている。
【００４５】
ＲＡＭ８３は、ＣＰＵ８５がプログラムを実行する際のワークエリアとして使用される。
【００４６】
ＨＤＤ８４は、画像読取部２０により読み取られた画像の画像データなどを記憶する。
【００４７】
＜操作画面＞
【００４８】
ＭＦＰ１では、ＭＦＰ１の機能モードに応じて、表示部３１に異なる操作画面が表示される。機能モードには、コピーモード、スキャンモード、電話モードおよびファクシミリモードが含まれる。
【００４９】
＜コピー画面（通常）＞
【００５０】
コピーモードでは、図３Ａに示されるように、操作ボタンとして、モノ／カラー設定ボタン１１１、画質設定ボタン１１２、用紙設定ボタン１１３、増数ボタン１１４、減数ボタン１１５およびスタートボタン１１６が表示部３１に表示される。
【００５１】
モノ／カラー設定ボタン１１１は、コピーモードをモノクロコピーとカラーコピーとを切り替えて設定するためのボタンである。モノ／カラー設定ボタン１１１上に「ＣＯＬＯＲ」の文字が表示されている状態では、コピーモードとしてカラーコピーが設定されている。この状態で、モノ／カラー設定ボタン１１１が押されると、モノ／カラー設定ボタン１１１上の表示が「ＭＯＮＯ」に切り替わり、コピーモードとしてモノクロコピーが設定される。この状態で、モノ／カラー設定ボタン１１１が再び押されると、モノ／カラー設定ボタン１１１上の表示が「ＣＯＬＯＲ」に戻り、コピーモードとしてカラーコピーが設定される。
【００５２】
画質設定ボタン１１２は、たとえば、画質モードを高画質モードと低画質モードとに切り替えて設定するためのボタンである。画質設定ボタン１１２上に「高画質」と表示されている状態では、高画質のコピー画像が用紙に印刷される高画質モードが設定されている。この状態で、画質設定ボタン１１２が押されると、画質設定ボタン１１２上の表示が「低画質」に切り替わり、低画質のコピー画像が用紙に高速で印刷される低画質モードが設定される。この状態で、画質設定ボタン１１２が再び押されると、画質設定ボタン１１２上の表示が「高画質」に戻り、高画質モードが設定される。
【００５３】
用紙設定ボタン１１３は、コピーに使用する用紙のサイズを設定するためのボタンである。用紙設定ボタン１１３上に「Ａ４」と表示されている状態では、Ａ４サイズが設定されている。この状態で、用紙設定ボタン１１３が押されると、用紙設定ボタン１１３上の表示が「Ａ３」に切り替わり、Ａ３サイズが設定される。この状態で、用紙設定ボタン１１３が押されると、用紙設定ボタン１１３上の表示が「Ｂ５」に切り替わり、Ｂ５サイズが設定される。また、この状態で、用紙設定ボタン１１３が押されると、用紙設定ボタン１１３上の表示が「Ｂ４」に切り替わり、Ｂ４サイズが設定される。この状態で、用紙設定ボタン１１３が押されると、用紙設定ボタン１１３上の表示が「Ａ４」に戻り、Ａ４サイズが設定される。
【００５４】
増数ボタン１１４および減数ボタン１１５は、コピー枚数を設定するためのボタンである。増数ボタン１１４および減数ボタン１１５上には、それぞれ「△」および「▽」の記号が表示されている。増数ボタン１１４および減数ボタン１１５の左側には、コピー枚数表示領域１１７が設定されている。増数ボタン１１４が押されると、コピー枚数表示領域１１７に表示される数字が「１」増え、コピー枚数が１枚増えた枚数に設定される。減数ボタン１１５が押されると、コピー枚数表示領域１１７に表示される数字が「１」減り、コピー枚数が１枚減った枚数に設定される。
【００５５】
スタートボタン１１６は、ＭＦＰ１にコピーの開始を指示するためのボタンである。スタートボタン１１６上には、「ＳＴＡＲＴ」の文字が表示されている。スタートボタン１１６が押されると、モノ／カラー設定ボタン１１１、画質設定ボタン１１２、用紙設定ボタン１１３、増数ボタン１１４および減数ボタン１１５の操作により設定された内容が確定され、その設定内容でのコピー動作が開始される。
【００５６】
＜コピー用カバー＞
【００５７】
ＭＦＰ１では、タッチパネル３０上にコピー用カバー１２１を装着して使用することができる。
【００５８】
図３Ｂに示されるように、コピー用カバー１２１は、光透過度の高い、たとえば、透明なシリコンゴムで形成されている。
【００５９】
コピー用カバー１２１には、モノ／カラー設定操作部１２２、画質設定操作部１２３、用紙設定操作部１２４、増数操作部１２５および減数操作部１２６が設けられている。コピー用カバー１２１が図３Ａに示されるコピー画面に重ねられたときに、モノ／カラー設定操作部１２２、画質設定操作部１２３、用紙設定操作部１２４、増数操作部１２５および減数操作部１２６は、それぞれモノ／カラー設定ボタン１１１、画質設定ボタン１１２、用紙設定ボタン１１３、増数ボタン１１４および減数ボタン１１５とそれぞれ対向する位置に配置されている。
【００６０】
モノ／カラー設定操作部１２２、画質設定操作部１２３、用紙設定操作部１２４、増数操作部１２５および減数操作部１２６の厚みは、これら以外の部分である非操作部１２７の厚みと比較して大きく形成されている。
【００６１】
たとえば、モノ／カラー設定操作部１２２、画質設定操作部１２３、用紙設定操作部１２４、増数操作部１２５および減数操作部１２６の厚み方向の中央部には、空気が封入されており、モノ／カラー設定操作部１２２、画質設定操作部１２３、用紙設定操作部１２４、増数操作部１２５および減数操作部１２６は、非操作部１２７の表面に対して凸形状になっている。
【００６２】
これにより、モノ／カラー設定操作部１２２、画質設定操作部１２３、用紙設定操作部１２４、増数操作部１２５、減数操作部１２６が操作者により押操作されたときに、操作者に押込感を与えることができる。
【００６３】
また、コピー用カバー１２１には、スタート操作部１２８が設けられている。図３Ａに示されるコピー画面に重ねられたときに、スタート操作部１２８は、スタートボタン１１６と対向する位置に配置されている。
【００６４】
スタート操作部１２８は、非操作部１２７と比較して厚みが小さく形成されることにより、非操作部１２７の表面に対して凹形状になっている。
【００６５】
これにより、操作者の手などがスタート操作部１２８に容易に触れることが抑制され、スタート操作部１２８の誤操作が抑制されている。
【００６６】
＜コピー画面（カバー装着時）＞
【００６７】
コピー用カバー１２１がタッチパネル３０上に装着されると、タッチパネル３０の表示画面が図３Ａに示される画面から図３Ｃに示される画面に切り替わる。
【００６８】
図３Ａに示される画面では、モノ／カラー設定ボタン１１１、画質設定ボタン１１２、用紙設定ボタン１１３、増数ボタン１１４、減数ボタン１１５およびスタートボタン１１６上に、文字、数字または記号が表示される。図３Ｃに示される画面では、モノ／カラー設定ボタン１１１、画質設定ボタン１１２、用紙設定ボタン１１３、増数ボタン１１４および減数ボタン１１５とそれぞれ隣接する位置に、モノ／カラー設定表示領域１３１、画質設定表示領域１３２、用紙設定表示領域１３３、増数指示表示領域１３４および減数指示表示領域１３５が設定されている。
【００６９】
コピー用カバー１２１のモノ／カラー設定操作部１２２、画質設定操作部１２３、用紙設定操作部１２４、増数操作部１２５および減数操作部１２６は、非操作部１２７と比較して、厚みが大きいため、透明度が低い。そのため、コピー用カバー１２１がタッチパネル３０上に装着されると、モノ／カラー設定ボタン１１１、画質設定ボタン１１２、用紙設定ボタン１１３、増数ボタン１１４および減数ボタン１１５上に表示されている文字、数字または記号が視認しづらくなる。
【００７０】
コピー用カバー１２１がタッチパネル３０上に装着されると、その装着前にモノ／カラー設定ボタン１１１、画質設定ボタン１１２、用紙設定ボタン１１３、増数ボタン１１４および減数ボタン１１５上に表示されていた文字、数字または記号が消える。そして、モノ／カラー設定ボタン１１１、画質設定ボタン１１２、用紙設定ボタン１１３、増数ボタン１１４および減数ボタン１１５上に表示されていた文字、数字または記号は、それぞれモノ／カラー設定表示領域１３１、画質設定表示領域１３２、用紙設定表示領域１３３、増数指示表示領域１３４および減数指示表示領域１３５に表示される。
【００７１】
コピー用カバー１２１のスタート操作部１２８は、非操作部１２７と比較して、厚みが小さいため、透明度が高い。そのため、コピー用カバー１２１がタッチパネル３０上に装着されても、スタートボタン１１６上に表示されている文字、つまり「ＳＴＡＲＴ」の文字が視認しづらくはならない。
【００７２】
コピー用カバー１２１がタッチパネル３０上に装着されても、その装着前にスタートボタン１１６上に表示されていた「ＳＴＡＲＴ」の文字は、引き続き、スタートボタン１１６上に表示される。
【００７３】
すなわち、モノ／カラー設定ボタン１１１、画質設定ボタン１１２、用紙設定ボタン１１３、増数ボタン１１４および減数ボタン１１５が表示されている領域は、コピー用カバー１２１の装着時に当該領域に表示されている文字、数字または記号が視認しづらくなる領域（以下、このような領域を「特定領域」という。）である。そのため、コピー用カバー１２１がタッチパネル３０上に装着されると、特定領域から装着前に表示されていた文字、数字または記号が消え、その文字、数字または記号が特定領域と隣接する隣接領域であるモノ／カラー設定表示領域１３１、画質設定表示領域１３２、用紙設定表示領域１３３、増数指示表示領域１３４および減数指示表示領域１３５に表示される。
【００７４】
一方、スタートボタン１１６が表示されている領域は、コピー用カバー１２１の装着時に当該領域に表示されている文字、数字または記号が視認しづらくならない領域（以下、このような領域を「指令入力領域」という。）である。そのため、コピー用カバー１２１がタッチパネル３０上に装着されても、指令入力領域に表示されている文字、数字または記号はそのまま指令入力領域に表示される。
【００７５】
＜スキャン画面（通常）＞
【００７６】
スキャンモードでは、図４Ａに示されるように、操作ボタンとして、モノ／カラー設定ボタン２１１、画質設定ボタン２１２、保存先設定ボタン２１３およびスタートボタン２１４が表示部３１に表示される。
【００７７】
モノ／カラー設定ボタン２１１は、スキャンモードをモノクロスキャンとカラースキャンとを切り替えて設定するためのボタンである。モノ／カラー設定ボタン２１１上に「ＣＯＬＯＲ」の文字が表示されている状態では、スキャンモードとしてカラースキャンが設定されている。この状態で、モノ／カラー設定ボタン２１１が押されると、モノ／カラー設定ボタン２１１上の表示が「ＭＯＮＯ」に切り替わり、スキャンモードとしてモノクロスキャンが設定される。この状態で、モノ／カラー設定ボタン２１１が再び押されると、モノ／カラー設定ボタン２１１上の表示が「ＣＯＬＯＲ」に戻り、スキャンモードとしてカラースキャンが設定される。
【００７８】
画質設定ボタン２１２は、たとえば、画質モードを高画質モードと低画質モードとに切り替えて設定するためのボタンである。画質設定ボタン２１２上に「高画質」と表示されている状態では、原稿のスキャンにより高画質（高解像度）の画像データが取得される高画質モードが設定されている。この状態で、画質設定ボタン２１２が押されると、画質設定ボタン２１２上の表示が「低画質」に切り替わり、原稿のスキャンにより低画質（低解像度）の画像データが取得される低画質モードが設定される。この状態で、画質設定ボタン２１２が再び押されると、画質設定ボタン２１２上の表示が「高画質」に戻り、高画質モードが設定される。
【００７９】
保存先設定ボタン２１３は、原稿からスキャンされた画像データの保存先を設定するためのボタンである。保存先設定ボタン２１３上に「ＵＳＢ」と表示されている状態では、スキャンされた画像データの保存先として、ＵＳＢインターフェース６０に装着されているＵＳＢメモリが設定されている。この状態で、保存先設定ボタン２１３が押されると、保存先設定ボタン２１３上の表示が「ＨＤＤ」に切り替わり、スキャンされた画像データの保存先として、ＨＤＤ８４が設定される。この状態で、保存先設定ボタン２１３が押されると、保存先設定ボタン２１３上の表示が「ＵＳＢ」に戻り、ＵＳＢメモリが設定される。
【００８０】
スタートボタン２１４は、ＭＦＰ１にスキャンの開始を指示するためのボタンである。スタートボタン２１４が押されると、モノ／カラー設定ボタン２１１、画質設定ボタン２１２、保存先設定ボタン２１３の操作により設定された内容が確定され、その設定内容でのスキャン動作が開始される。
【００８１】
＜スキャン用カバー＞
【００８２】
ＭＦＰ１では、タッチパネル３０上にスキャン用カバー２２１を装着して使用することができる。
【００８３】
図４Ｂに示されるように、スキャン用カバー２２１は、光透過度の高い、たとえば、透明なシリコンゴムで形成されている。
【００８４】
スキャン用カバー２２１には、モノ／カラー設定操作部２２２、画質設定操作部２２３および保存先設定操作部２２４が設けられている。スキャン用カバー２２１が図４Ａに示されるスキャン画面に重ねられたときに、モノ／カラー設定操作部２２２、画質設定操作部２２３および保存先設定操作部２２４は、それぞれモノ／カラー設定ボタン２１１、画質設定ボタン２１２および保存先設定ボタン２１３とそれぞれ対向する位置に配置されている。
【００８５】
モノ／カラー設定操作部２２２、画質設定操作部２２３および保存先設定操作部２２４の厚みは、これら以外の部分である非操作部２２５の厚みと比較して大きく形成されている。
【００８６】
たとえば、モノ／カラー設定操作部２２２、画質設定操作部２２３および保存先設定操作部２２４の厚み方向の中央部には、空気が封入されており、モノ／カラー設定操作部２２２、画質設定操作部２２３および用紙設定操作部２２４は、非操作部２２５の表面に対して凸形状になっている。
【００８７】
これにより、モノ／カラー設定操作部２２２、画質設定操作部２２３および保存先設定操作部２２４が操作者により押操作されたときに、操作者に押込感を与えることができる。
【００８８】
また、スキャン用カバー２２１には、スタート操作部２２６が設けられている。図４Ａに示されるスキャン画面が重ねられたときに、スタート操作部２２６は、スタートボタン２１４と対向する位置に配置されている。
【００８９】
スタート操作部２２６は、非操作部２２５と比較して厚みが小さく形成されることにより、非操作部２２５の表面に対して凹形状になっている。
【００９０】
これにより、操作者の手などがスタート操作部２２６に容易に触れることが抑制され、スタート操作部２２６の誤操作が抑制されている。
【００９１】
＜スキャン画面（カバー装着時）＞
【００９２】
スキャン用カバー２２１がタッチパネル３０上に装着されると、タッチパネル３０の表示画面が図４Ａに示される画面から図４Ｃに示される画面に切り替わる。
【００９３】
図４Ａに示される画面では、モノ／カラー設定ボタン２１１、画質設定ボタン２１２、保存先設定ボタン２１３およびスタートボタン２１４上に、文字、数字または記号が表示される。図４Ｃに示される画面では、モノ／カラー設定ボタン２１１、画質設定ボタン２１２および保存先設定ボタン２１３とそれぞれ隣接する位置に、モノ／カラー設定表示領域２３１、画質設定表示領域２３２および保存先設定表示領域２３３が設定されている。
【００９４】
スキャン用カバー２２１のモノ／カラー設定操作部２２２、画質設定操作部２２３および保存先設定操作部２２４は、非操作部１２７と比較して、厚みが大きいため、透明度が低い。そのため、スキャン用カバー２２１がタッチパネル３０上に装着されると、モノ／カラー設定ボタン２１１、画質設定ボタン２１２および保存先設定ボタン２１３上に表示されている文字、数字または記号が視認しづらくなる。
【００９５】
スキャン用カバー２２１がタッチパネル３０上に装着されると、その装着前にモノ／カラー設定ボタン２１１、画質設定ボタン２１２および保存先設定ボタン２１３上に表示されていた文字、数字または記号が消える。そして、モノ／カラー設定ボタン２１１、画質設定ボタン２１２および保存先設定ボタン２１３上に表示されていた文字、数字または記号は、それぞれモノ／カラー設定表示領域２３１、画質設定表示領域２３２および保存先設定表示領域２３３に表示される。
【００９６】
スキャン用カバー２２１のスタート操作部２２６は、非操作部２２５と比較して、厚みが小さいため、透明度が高い。そのため、スキャン用カバー２２１がタッチパネル３０上に装着されても、スタートボタン２１４上に表示されている文字、つまり「ＳＴＡＲＴ」の文字が視認しづらくはならない。
【００９７】
スキャン用カバー２２１がタッチパネル３０上に装着されても、その装着前にスタートボタン２１４上に表示されていた「ＳＴＡＲＴ」の文字は、引き続き、スタートボタン２１４上に表示される。
【００９８】
すなわち、モノ／カラー設定ボタン２１１、画質設定ボタン２１２および保存先設定ボタン２１３が表示されている領域は、スキャン用カバー２２１の装着時に当該領域に表示されている文字、数字または記号が視認しづらくなる特定領域である。そのため、スキャン用カバー２２１がタッチパネル３０上に装着されると、特定領域から装着前に表示されていた文字、数字または記号が消え、その文字、数字または記号が特定領域と隣接する隣接領域であるモノ／カラー設定表示領域２３１、画質設定表示領域２３２および保存先設定表示領域２３３に表示される。
【００９９】
一方、スタートボタン２１４が表示されている領域は、スキャン用カバー２２１の装着時に当該領域に表示されている文字、数字または記号が視認しづらくならない指令入力領域である。そのため、スキャン用カバー２２１がタッチパネル３０上に装着されても、指令入力領域に表示されている文字、数字または記号はそのまま指令入力領域に表示される。
【０１００】
＜電話画面（通常）＞
【０１０１】
電話モードでは、図５Ａに示されるように、操作ボタンとして、テンキーボタン３１１および発信ボタン３１２が表示部３１に表示される。
【０１０２】
テンキーボタン３１１は、電話番号を指定するために数字を入力するためのボタンである。テンキーボタン３１１の左側には、電話番号表示領域３１３が設定されている。テンキーボタン３１１が押されると、押されたテンキーボタン３１１に対応する数字などが電話番号表示領域３１３に左端から順に表示される。
【０１０３】
発信ボタン３１２は、ＭＦＰ１に電話発信の開始を指示するためのボタンである。発信ボタン３１２が押されると、電話番号表示領域３１３に表示された電話番号への電話発信が開始される。
【０１０４】
＜電話用カバー＞
【０１０５】
ＭＦＰ１では、タッチパネル３０上に電話用カバー３２１を装着して使用することができる。
【０１０６】
図５Ｂに示されるように、電話用カバー３２１は、光透過度の高い、たとえば、透明なシリコンゴムで形成されている。
【０１０７】
電話用カバー３２１には、テンキー操作部３２２が設けられている。電話用カバー３２１が図５Ａに示される電話画面に重ねられたときに、テンキー操作部３２２は、それぞれテンキーボタン３１１と対向する位置に配置されている。
【０１０８】
テンキー操作部３２２の厚みは、これら以外の部分である非操作部３２３の厚みと比較して大きく形成されている。
【０１０９】
たとえば、テンキー操作部３２２の厚み方向の中央部には、空気が封入されており、テンキー操作部３２２は、非操作部３２３の表面に対して凸形状になっている。
【０１１０】
これにより、テンキー操作部３２２が操作者により押操作されたときに、操作者に押込感を与えることができる。
【０１１１】
また、電話用カバー３２１には、発信操作部３２４が設けられている。図５Ａに示される電話画面が重ねられたときに、発信操作部３２４は、発信ボタン３１２と対向する位置に配置されている。
【０１１２】
発信操作部３２４は、非操作部３２３と比較して厚みが小さく形成されることにより、非操作部３２３の表面に対して凹形状になっている。
【０１１３】
これにより、操作者の手などが発信操作部３２４に容易に触れることが抑制され、発信操作部３２４の誤操作が抑制されている。
【０１１４】
＜電話画面（カバー装着時）＞
【０１１５】
電話用カバー３２１がタッチパネル３０上に装着されると、タッチパネル３０の表示画面が図５Ａに示される画面から図５Ｃに示される画面に切り替わる。
【０１１６】
図５Ａに示される画面では、テンキーボタン３１１および発信ボタン３１２に、文字、数字または記号が表示される。図５Ｃに示される画面では、テンキーボタン３１１とそれぞれ隣接する位置に、テンキー表示領域３３１が設定されている。
【０１１７】
電話用カバー３２１のテンキー操作部３２２は、非操作部３２３と比較して、厚みが大きいため、透明度が低い。そのため、電話用カバー３２１がタッチパネル３０上に装着されると、テンキーボタン３１１上に表示されている文字、数字または記号が視認しづらくなる。
【０１１８】
電話用カバー３２１がタッチパネル３０上に装着されると、その装着前にテンキーボタン３１１上に表示されていた文字、数字または記号が消える。そして、テンキーボタン３１１上に表示されていた文字、数字または記号は、それぞれテンキー表示領域３３１に表示される。
【０１１９】
電話用カバー３２１の発信操作部３２４は、非操作部３２３と比較して、厚みが小さいため、透明度が高い。そのため、電話用カバー３２１がタッチパネル３０上に装着されても、発信ボタン３１２上に表示されている文字、つまり「ＣＡＬＬ」の文字が視認しづらくはならない。
【０１２０】
電話用カバー３２１がタッチパネル３０上に装着されても、その装着前に発信ボタン３１２上に表示されていた「ＣＡＬＬ」の文字は、引き続き、発信ボタン３１２上に表示される。
【０１２１】
すなわち、テンキーボタン３１１が表示されている領域は、電話用カバー３２１の装着時に当該領域に表示されている文字、数字または記号が視認しづらくなる特定領域である。そのため、電話用カバー３２１がタッチパネル３０上に装着されると、特定領域から装着前に表示されていた文字、数字または記号が消え、その文字、数字または記号が特定領域と隣接する隣接領域であるテンキー表示領域３３１に表示される。
【０１２２】
一方、発信ボタン３１２が表示されている領域は、電話用カバー３２１の装着時に当該領域に表示されている文字、数字または記号が視認しづらくならない指令入力領域である。そのため、電話用カバー３２１がタッチパネル３０上に装着されても、指令入力領域に表示されている文字、数字または記号はそのまま指令入力領域に表示される。
【０１２３】
＜ファックス画面（通常）＞
【０１２４】
ファックスモードでは、図６Ａに示されるように、操作ボタンとして、テンキーボタン４１１、モノ／カラー設定ボタン４１２および送信ボタン４１３が表示部３１に表示される。
【０１２５】
テンキーボタン４１１は、ファックス番号を指定するために数字を入力するためのボタンである。テンキーボタン４１１の左側には、ファックス番号表示領域４１４が設定されている。テンキーボタン４１１が押されると、押されたテンキーボタン４１１に対応する数字などがファックス番号表示領域４１３に左端から順に表示される。
【０１２６】
モノ／カラー設定ボタン４１２は、ファックスモードをモノクロファックスとカラーファックスとを切り替えて設定するためのボタンである。モノ／カラー設定ボタン４１２上に「ＣＯＬＯＲ」の文字が表示されている状態では、ファックスモードとしてカラーファックスが設定されている。この状態で、モノ／カラー設定ボタン４１１が押されると、モノ／カラー設定ボタン４１１上の表示が「ＭＯＮＯ」に切り替わり、ファックスモードとしてモノクロファックスが設定される。この状態で、モノ／カラー設定ボタン４１１が再び押されると、モノ／カラー設定ボタン４１１上の表示が「ＣＯＬＯＲ」に戻り、コピーモードとしてカラーコピーが設定される。
【０１２７】
送信ボタン４１３は、ＭＦＰ１にファックス送信の開始を指示するためのボタンである。送信ボタン４１３が押されると、ファックス番号表示領域４１４に表示されたファックス番号へのファックス送信が開始される。
【０１２８】
＜ファックス用カバー＞
【０１２９】
ＭＦＰ１では、タッチパネル３０上にファックス用カバー４２１を装着して使用することができる。
【０１３０】
図６Ｂに示されるように、ファックス用カバー４２１は、光透過度の高い、たとえば、透明なシリコンゴムで形成されている。
【０１３１】
ファックス用カバー４２１には、テンキー操作部４２２およびモノ／カラー設定操作部４２３が設けられている。ファックス用カバー４２１が図６Ａに示されるファックス画面に重ねられたときに、テンキー操作部４２２およびモノ／カラー設定操作部４２３は、それぞれテンキーボタン４１１およびモノ／カラー設定ボタン４１２と対向する位置に配置されている。
【０１３２】
テンキー操作部４２２およびモノ／カラー設定操作部４２３の厚みは、これら以外の部分である非操作部４２４の厚みと比較して大きく形成されている。
【０１３３】
たとえば、テンキー操作部４２２およびモノ／カラー設定操作部４２３の厚み方向の中央部には、空気が封入されており、テンキー操作部４２２およびモノ／カラー設定操作部４２３は、非操作部４２４の表面に対して凸形状になっている。
【０１３４】
これにより、テンキー操作部４２２およびモノ／カラー設定操作部４２３が操作者により押操作されたときに、操作者に押込感を与えることができる。
【０１３５】
また、ファックス用カバー４２１には、送信操作部４２５が設けられている。図６Ａに示されるファックス画面が重ねられたときに、送信操作部４２５は、送信ボタン４１２と対向する位置に配置されている。
【０１３６】
送信操作部４２４は、非操作部４２４と比較して厚みが小さく形成されることにより、非操作部４２４の表面に対して凹形状になっている。
【０１３７】
これにより、操作者の手などが送信操作部４２４に容易に触れることが抑制され、送信操作部４２４の誤操作が抑制されている。
【０１３８】
＜ファックス画面（カバー装着時）＞
【０１３９】
ファックス用カバー４２１がタッチパネル３０上に装着されると、タッチパネル３０の表示画面が図６Ａに示される画面から図６Ｃに示される画面に切り替わる。
【０１４０】
図６Ａに示される画面では、テンキーボタン４１１およびモノ／カラー設定ボタン４１２上に、文字、数字または記号が表示される。
【０１４１】
図６Ｃに示される画面では、テンキーボタン４１１およびモノ／カラー設定ボタン４１２とそれぞれ隣接する位置に、テンキー表示領域４３１およびモノ／カラー設定表示領域４３２が設定されている。
【０１４２】
ファックス用カバー４２１のテンキー操作部４２２およびモノ／カラー設定操作部４２３は、非操作部４２４と比較して、厚みが大きいため、透明度が低い。そのため、ファックス用カバー４２１がタッチパネル３０上に装着されると、テンキーボタン４１１およびモノ／カラー設定ボタン４１２上に表示されている文字、数字または記号が視認しづらくなる。
【０１４３】
ファックス用カバー４２１がタッチパネル３０上に装着されると、その装着前にテンキーボタン４１１およびモノ／カラー設定ボタン４１２上に表示されていた文字、数字または記号が消える。そして、テンキーボタン４１１およびモノ／カラー設定ボタン４１２上に表示されていた文字、数字または記号は、それぞれテンキー表示領域４３１およびモノ／カラー設定表示領域４３２に表示される。
【０１４４】
ファックス用カバー４２１の送信操作部４２５は、非操作部４２４と比較して、厚みが小さいため、透明度が高い。そのため、ファックス用カバー４２１がタッチパネル３０上に装着されても、送信ボタン４１３上に表示されている文字、つまり「ＣＡＬＬ」の文字が視認しづらくはならない。
【０１４５】
ファックス用カバー４２１がタッチパネル３０上に装着されても、その装着前に送信ボタン４１３上に表示されていた「ＣＡＬＬ」の文字は、引き続き、送信ボタン４１３上に表示される。
【０１４６】
すなわち、テンキーボタン４１１およびモノ／カラー設定ボタン４１２が表示されている領域は、ファックス用カバー４２１の装着時に当該領域に表示されている文字、数字または記号が視認しづらくなる特定領域である。そのため、ファックス用カバー４２１がタッチパネル３０上に装着されると、特定領域から装着前に表示されていた文字、数字または記号が消え、その文字、数字または記号が特定領域と隣接する隣接領域であるテンキー表示領域４３１およびモノ／カラー設定表示領域４３２に表示される。
【０１４７】
一方、送信ボタン４１３が表示されている領域は、ファックス用カバー４２１の装着時に当該領域に表示されている文字、数字または記号が視認しづらくならない指令入力領域である。そのため、ファックス用カバー４２１がタッチパネル３０上に装着されても、指令入力領域に表示されている文字、数字または記号はそのまま指令入力領域に表示される。
【０１４８】
＜識別パターン＞
【０１４９】
コピー用カバー１２１、スキャン用カバー２２１、電話用カバー３２１およびファックス用カバー５２１には、たとえば、図３Ｂ、図４Ｂ、図５Ｂおよび図６Ｂに示されるように、識別パターン５０１，５０２，５０３，５０４が設けられている。識別パターン５０１，５０２，５０３，５０４は、たとえば、コピー用カバー１２１、スキャン用カバー２２１、電話用カバー３２１およびファックス用カバー５２１の裏面（装着時にタッチパネル３０と対向する面）に突起が形成されたものである。コピー用カバー１２１、スキャン用カバー２２１、電話用カバー３２１およびファックス用カバー４２１では、それぞれ異なる形状の識別パターン５０１，５０２，５０３，５０４を有している。たとえば、コピー用カバー１２１の識別パターン５０１は、図３Ｂに示されるように、１つの突起により形成されている。スキャン用カバー２２１の識別パターン５０２は、図４Ｂに示されるように、２つの突起により形成されている。電話用カバー３２１の識別パターン５０３は、図５Ｂに示されるように、３つの突起により形成されている。ファックス用カバー４２１の識別パターン５０４は、図６Ｂに示されるように、４つの突起により形成されている。
【０１５０】
＜カバー装着設定処理＞
【０１５１】
コピー用カバー１２１、スキャン用カバー２２１、電話用カバー３２１およびファックス用カバー４２１の装着時と非装着時とでタッチパネル３０の表示画面を切り替えるために、ＡＳＩＣ８１のＣＰＵ８５は、ＭＦＰ１の電源が投入されている間、図７に示されるカバー装着設定処理を繰り返し実行する。
【０１５２】
カバー装着設定処理では、ＣＰＵ８５は、タッチパネル３０に、コピー用カバー１２１、スキャン用カバー２２１、電話用カバー３２１またはファックス用カバー５２１のいずれかのカバーが装着されたか否かを判断する（Ｓ１）。コピー用カバー１２１、スキャン用カバー２２１、電話用カバー３２１またはファックス用カバー５２１がタッチパネル３０に装着されると、それぞれ識別パターン５０１，５０２，５０３，５０４によりタッチパネル３０が押圧される。ＣＰＵ８５は、その識別パターン５０１，５０２，５０３，５０４による押圧の有無を判断し、押圧されていなければ、コピー用カバー１２１、スキャン用カバー２２１、電話用カバー３２１およびファックス用カバー５２１のいずれもタッチパネル３０に装着されていないと判断する（Ｓ１：ＮＯ）。
【０１５３】
この場合、ＣＰＵ８５は、ユーザにより機能モードが選択されたか否かを判断する（Ｓ２）。機能モードが選択されていなければ（Ｓ２：ＮＯ）、Ｓ１の判断に戻り、ＣＰＵ８５は、スキャン用カバー２２１、電話用カバー３２１またはファックス用カバー５２１のいずれかのカバーが装着されたか否かを判断する。ユーザにより、コピーモード、スキャンモード、電話モードおよびファクシミリモードのいずれかの機能モードが選択されたと判断した場合（Ｓ２：ＹＥＳ）、ＣＰＵ８５は、選択されたと判断した機能モードの操作ボタンをタッチパネル３０の特定領域および指令入力領域に表示させる。そして、ＣＰＵ８５は、各操作ボタンに対応する文字、数字または記号をタッチパネル３０の特定領域および指令入力領域に表示させて（Ｓ３）、カバー装着設定処理を終了する。なお、ユーザによる機能モードの選択は、ユーザがタッチパネル３０を操作することにより選択されてもよいし、その他のスイッチ等により選択されてもよい。
【０１５４】
一方、ＣＰＵ８５は、コピー用カバー１２１、コピー用カバー１２１、スキャン用カバー２２１、電話用カバー３２１またはファックス用カバー５２１のいずれかのカバーがタッチパネル３０に装着されていると判断した場合（Ｓ１：ＹＥＳ）、識別パターン５０１，５０２，５０３，５０４をタッチパネル３０の位置検出センサ３２により検知して、そのタッチパネル３０に装着されているカバーがコピー用カバー１２１、コピー用カバー１２１、スキャン用カバー２２１、電話用カバー３２１またはファックス用カバー５２１のいずれであるかを識別する（Ｓ４）。
【０１５５】
そして、ＣＰＵ８５は、タッチパネル３０に装着されているカバーの種別に応じて、各操作ボタンに対応する文字、数字または記号を隣接領域および指令入力領域に表示させる（Ｓ５）。
【０１５６】
また、ＣＰＵ８５は、特定領域の接触検知感度をアップさせ、指令入力領域の接触検知感度をダウンさせて（Ｓ６）、カバー装着設定処理を終了する。接触検知感度の変更は、たとえば、タッチパネルが押操作されたと判断する抵抗値の閾値を変更することにより達成できる。すなわち、タッチパネルが押操作されたと判断する抵抗値の閾値を下げることにより、接触検知感度をアップさせることができる。一方、抵抗値の閾値を上げることにより、接触検知感度をダウンさせることができる。
【０１５７】
＜作用効果＞
【０１５８】
タッチパネル３０は、表示部３１と位置検出センサ３２とを有している。タッチパネル３０にコピー用カバー１２１、スキャン用カバー２２１、電話用カバー３２１またはファックス用カバー５２１のいずれのカバーも装着されていないときには、特定領域に文字、数字または記号が表示される。タッチパネル３０にコピー用カバー１２１、スキャン用カバー２２１、電話用カバー３２１またはファックス用カバー５２１のいずれかのカバーが装着され、その装着が検知されると、特定領域に表示されていた文字、数字または記号が特定領域と隣接する隣接領域に表示される。
【０１５９】
タッチパネル３０にコピー用カバー１２１、スキャン用カバー２２１、電話用カバー３２１またはファックス用カバー５２１のいずれかのカバーが装着されることにより、たとえば、特定領域とそれ以外の領域との区別を明確にすることができ、操作性を向上することができる。また、タッチパネル３０にコピー用カバー１２１、スキャン用カバー２２１、電話用カバー３２１またはファックス用カバー５２１のいずれかのカバーが装着されたことにより、たとえタッチパネル３０の特定領域が視認しにくくなっても、特定領域に表示されていた文字、数字または記号が隣接領域に移動して表示されているので、その文字、数字または記号を良好に視認することができる。
【０１６０】
よって、コピー用カバー１２１、スキャン用カバー２２１、電話用カバー３２１およびファックス用カバー５２１によるタッチパネル３０の操作性の向上と表示の視認性の向上とを両立することができる。
【０１６１】
コピー用カバー１２１、スキャン用カバー２２１、電話用カバー３２１およびファックス用カバー５２１の特定領域に対向する部分の厚さが非操作部１２７の厚さよりも大きくされているので、特定領域とそれ以外の領域との区別が一層明確になる。また、ユーザが特定領域を押操作したときにコピー用カバー１２１、スキャン用カバー２２１、電話用カバー３２１またはファックス用カバー５２１からの反力を感じることができる。その結果、操作性をさらに向上させることができる。しかしながら、この場合、特定領域における接触検知感度が低下するおそれがある。
【０１６２】
コピー用カバー１２１、スキャン用カバー２２１、電話用カバー３２１およびファックス用カバー５２１のいずれかがタッチパネル３０に装着されているときには、コピー用カバー１２１、スキャン用カバー２２１、電話用カバー３２１およびファックス用カバー５２１のいずれもタッチパネル３０に装着されていないときと比較して、特定領域における検知感度が高くされる。これにより、タッチパネル３０の操作性のさらなる向上を図ることができながら、特定領域への指などの接触を良好に検知することができる。
【０１６３】
コピー用カバー１２１、スキャン用カバー２２１、電話用カバー３２１またはファックス用カバー５２１における指令入力領域に対向する部分が厚さの小さい凹部として形成されているので、指令入力領域を不用意に押圧されることが抑制される。
【０１６４】
また、コピー用カバー１２１、スキャン用カバー２２１、電話用カバー３２１またはファックス用カバー５２１がタッチパネル３０に装着されていても、指令入力領域の視認性（光透過度）の低下が小さいので、指令入力領域には、コピー用カバー１２１、スキャン用カバー２２１、電話用カバー３２１またはファックス用カバー５２１の装着が検知されているか否かにかかわらず、スタートボタン１１６，２１４、発信ボタン３１２および送信ボタン４１３の各操作ボタンに対応する文字、数字または記号が表示される。この場合でも、指令入力領域に表示された文字、数字または記号を良好に視認することができる。
【０１６５】
さらに、指令入力領域における接触検知感度が特定領域における接触検知感度よりも下げられる。これにより、指令入力領域に指などが不用意に接触した場合に、その接触が検知されることを抑制できる。その結果、指令入力領域の誤操作に基づく誤入力を一層抑制することができる。
【０１６６】
また、コピー用カバー１２１、スキャン用カバー２２１、電話用カバー３２１およびファックス用カバー５２１には、それぞれ識別パターン５０１，５０２，５０３，５０４が形成されている。そして、識別パターン５０１，５０２，５０３，５０４により、そのタッチパネル３０に装着されているカバーがコピー用カバー１２１、コピー用カバー１２１、スキャン用カバー２２１、電話用カバー３２１またはファックス用カバー５２１のいずれであるかが識別される。
【０１６７】
これにより、コピー用カバー１２１、スキャン用カバー２２１、電話用カバー３２１またはファックス用カバー５２１にその識別のためのＩＣタグを設けた構成などと比較して、コピー用カバー１２１、スキャン用カバー２２１、電話用カバー３２１またはファックス用カバー５２１の構成を簡易にすることができる。
【０１６８】
＜変形例＞
【０１６９】
以上、本発明の実施形態について説明したが、本発明は、他の形態で実施することもできる。
【０１７０】
たとえば、前述の実施形態では、コピー用カバー１２１、スキャン用カバー２２１、電話用カバー３２１およびファックス用カバー５２１は、表示部３１の全体を覆っていたが、たとえば、表示部３１のうち特定領域を含む一部のみを覆っていてもよい。また、コピー用カバー１２１、スキャン用カバー２２１、電話用カバー３２１およびファックス用カバー５２１は、たとえば、タッチパネル３０上に装着された状態で特定領域に隣接する隣接領域を覆わないように、当該隣接領域に重なる部分に開口が形成された構成であってもよい。
【０１７１】
前述の実施形態では、コピー用カバー１２１、スキャン用カバー２２１、電話用カバー３２１およびファックス用カバー５２１の特定部分に空気を封入して押込感が得られるようにしたが、特定部分を非操作部１２７，２２５，３２３，４２４よりも柔らかく形成することにより、押込み感が得られるようにしてもよい。
【０１７２】
また、前述の実施形態では、特定領域における接触検知感度をアップさせ、指令入力領域における接触検知感度をダウンさせるために、接触検知感度の閾値を変えたが、接触検知感度の閾値は変えず、タッチ操作が行われた場合にタッチパネル３０の接触検知部から出力される信号（たとえば、抵抗値）の増幅度を変えることにより、特定領域における接触検知感度をアップさせ、指令入力領域における接触検知感度をダウンさせてもよい。
【０１７３】
タッチパネル３０は、抵抗膜方式以外の方式のタッチパネルであってもよい。タッチパネル３０として、たとえば、静電容量方式のタッチパネルが採用されてもよい。その場合、コピー用カバー１２１、スキャン用カバー２２１、電話用カバー３２１およびファックス用カバー５２１には、それぞれ識別パターン５０１，５０２，５０３，５０４の位置に電極が埋め込まれるとよい。
【０１７４】
コピー用カバー１２１、スキャン用カバー２２１、電話用カバー３２１およびファックス用カバー５２１は、たとえば、透明なシリコンゴムで形成されているとしたが、半透明の材料を用いて形成されていてもよい。その場合は、コピー用カバー１２１、スキャン用カバー２２１、電話用カバー３２１およびファックス用カバー５２１がタッチパネル３０上に装着された場合に、タッチパネル３０の照度を上げて、タッチパネル３０の表示画面の視認性悪化を抑制してもよい。
【０１７５】
カバーの種類の検知について、識別パターン５０１，５０２，５０３，５０４に代えて、カバーに付されたＲＦ（Radio frequency）タグをＮＦＣ４０により検知して、ＲＦタグから取得した情報から、カバーの種類が検知されてもよい。また、カバーの全体の形状または所定部の形状がカバーの種類ごとに異なる場合、たとえば、その形状に応じてオン／オフする接触式センサやスイッチがＭＦＰ１に設けられ、接触式センサやスイッチの出力信号から、カバーの種類が検知されてもよい。
【０１７６】
その他、前述の構成には、特許請求の範囲に記載された事項の範囲で種々の設計変更を施すことが可能である。
【符号の説明】
【０１７７】
１      ＭＦＰ
３０    タッチパネル
３１    表示部
８４    ＣＰＵ
１２１  コピー用カバー
２２１  スキャン用カバー
３２１  電話用カバー
４２１  ファックス用カバー
【図１】
2016018297.tif 000003
【図２】
2016018297.tif 000004
【図３Ａ】
2016018297.tif 000005
【図３Ｂ】
2016018297.tif 000006
【図３Ｃ】
2016018297.tif 000007
【図４Ａ】
2016018297.tif 000008
【図４Ｂ】
2016018297.tif 000009
【図４Ｃ】
2016018297.tif 000010
【図５Ａ】
2016018297.tif 000011
【図５Ｂ】
2016018297.tif 000012
【図５Ｃ】
2016018297.tif 000013
【図６Ａ】
2016018297.tif 000014
【図６Ｂ】
2016018297.tif 000015
【図６Ｃ】
2016018297.tif 000016
【図７】
2016018297.tif 000017